(57)【要約】【課題】光学設計しやすい照明装置を提供する。【解決手段】照明装置は、取付部を介して設置面に着脱可能に設置されるベース１と、ベース１における設置面と反対側に配され且つ設置面と反対側を照射する主照射ユニットと、配線体５１１に発光素子５１３が実装されてなる副照射ユニット５１とを備え、配線体５１１が重力の作用方向に対して直交する状態でベース１により支持されている。【選択図】図８
2020024859.tif 000002
【特許請求の範囲】
【請求項１】
取付部を介して設置面に着脱可能に設置されるベースと、
前記ベースにおける前記設置面と反対側に配され且つ前記設置面と反対側を照射する主照射ユニットと、
配線体に発光素子が実装されてなる副照射ユニットと
を備え、
前記配線体が重力の作用方向に対して直交する状態で前記ベースにより支持されている
照明装置。
【請求項２】
前記副照射ユニットは、前記発光素子から重力方向と反対方向に向けて光を出射する
請求項１に記載の照明装置。
【請求項３】
前記副照射ユニットは、
前記発光素子から出射された光を前記設置面と反対側であって前記発光素子よりも外周側に反射させる反射体と、
前記反射体により反射された光の一部を透過すると共に前記反射された光の一部を前記設置面側に反射させる光学制御部材と
を備える
請求項２に記載の照明装置。
【請求項４】
前記配線体は、金属板からなる独立した導電片が離間して複数個配されてなる
請求項２又は３に記載の照明装置。
【請求項５】
前記発光素子は発光色が異なる２種類以上の発光素子を含み、
前記配線体は各発光色の発光素子に対応する配線体を２個以上含み、
前記２種類以上の発光素子のそれぞれに、各発光色に対応した点灯電力を供給する電源ユニットを備える
請求項４に記載の照明装置。
【請求項６】
前記２種類以上の発光素子には発光色が青色の発光素子が含まれる
請求項５に記載の照明装置。
【請求項７】
前記電源ユニットは、前記２種類以上の発光素子のうち、１種類以上の発光素子に対してゆらぎ制御する
請求項５又は６に記載の照明装置。
【発明の詳細な説明】
【技術分野】
【０００１】
本発明は、装置の設置面側を照射する間接照明機能を備える照明装置に関する。
【背景技術】
【０００２】
従来から、間接照明機能を備える照明装置として、「器具本体と、前記器具本体の背面側に設けられた光源ユニットとを備え、前記光源ユニットは、一主面を前記器具本体の側方に向けて配された長尺状の基板と、前記一主面上に前記基板の長手方向に沿って実装された複数の半導体発光素子とを備え、前記基板はフレキシブル基板であることを特徴とする照明装置」が提案されている（例えば特許文献１）。
【先行技術文献】
【特許文献】
【０００３】
【特許文献１】特開２０１４−１４６５６１号公報
【発明の概要】
【発明が解決しようとする課題】
【０００４】
しかしながら、特許文献１に記載の照明装置において、例えば、固定している基板の一部が傾斜してしまうと、当該傾斜した部分から出射された光は、予定の光路と異なる光路を進行することとなる。このため、光源ユニットからの光を利用しての光学設計が難しいという問題がある。
本発明は、光学設計しやすい照明装置を提供することを目的とする。
【課題を解決するための手段】
【０００５】
本発明に係る照明装置では、取付部を介して設置面に着脱可能に設置されるベースと、前記ベースにおける前記設置面と反対側に配され且つ前記設置面と反対側を照射する主照射ユニットと、配線体に発光素子が実装されてなる副照射ユニットとを備え、前記配線体が重力の作用方向に対して直交する状態で前記ベースにより支持されている。
【発明の効果】
【０００６】
本発明に係る照明装置は、前記配線体が重力の作用方向に対して直交する状態でベースにより支持されているため、安定した姿勢となる。
【図面の簡単な説明】
【０００７】
【図１】第１実施形態に係る照明装置の斜視図であり、（ａ）は表側から見た図であり、（ｂ）は裏側から見た図である。
【図２】照明装置の分解状態を裏側から見た斜視図である。
【図３】シェードを除く電源部よりも表側部材の分解状態を表側から見た斜視図である。
【図４】シェードを除く電源部よりも表側部材の分解状態を裏側から見た斜視図である。
【図５】シェードの分解状態を表側から見た斜視図である。
【図６】裏シェードが装着したベースから副光源部を分解した状態を表側から見た拡大斜視図である。
【図７】裏シェードが装着したベースから副光源部を分解した状態を裏側から見た拡大斜視図である。
【図８】（ａ）は副光源部周辺の断面を裏側から見た拡大斜視図であり、（ｂ）は副光源部から反射体を取り除いた状態の断面を裏側から見た拡大斜視図である。
【図９】（ａ）は反射体のケーブル被覆部周辺の拡大斜視図であり、（ｂ）は（ａ）の状態から反射体を裏側に移動させた状態の拡大斜視図である。
【図１０】第２実施形態に係る照明装置を裏側から見た図であり、（ｂ）は（ａ）の状態から反射体を外した状態を裏側から見た図である。
【図１１】反射体を外した副光源部の断面を裏側から見た拡大斜視図である。
【図１２】副光源部の断面を裏側から見た拡大斜視図である。
【発明を実施するための形態】
【０００８】
＜概要＞
実施形態の一態様に係る照明装置は、取付部を介して設置面に着脱可能に設置されるベースと、前記ベースにおける前記設置面と反対側に配され且つ前記設置面と反対側を照射する主照射ユニットと、配線体に発光素子が実装されてなる副照射ユニットとを備え、前記配線体が重力の作用方向に対して直交する状態で前記ベースにより支持されている。なお、ここでいう直交する状態とは、配線体が重力の作用方向と直交している状態と、ベースに支持されている配線体が重力により移動しない範囲で重力の作用方向と直交する方向に対して傾斜している状態とを含む。
実施形態の別態様に係る照明装置において、前記副照射ユニットは、前記発光素子から重力方向と反対方向に向けて光を出射する。これにより、光路の安定した光が発光素子から出射される。
実施形態の別態様に係る照明装置において、前記副照射ユニットは、前記発光素子から出射された光を前記設置面と反対側であって前記発光素子よりも外周側に反射させる反射体と、前記反射体により反射された光の一部を透過すると共に前記反射された光の一部を前記設置面側に反射させる光学制御部材とを備える。これにより、発光素子から出射された光を所望の方向に出射できる。
【０００９】
実施形態の別態様に係る照明装置において、前記配線体は、金属板からなる独立した導電片が離間して複数個配されてなる。これにより、副照射ユニットを安価に実施できる。
実施形態の別態様に係る照明装置において、前記発光素子は発光色が異なる２種類以上の発光素子を含み、前記配線体は各発光色の発光素子に対応する配線体を２個以上含み、前記２種類以上の発光素子のそれぞれに、各発光色に対応した点灯電力を供給する電源ユニットを備える。これにより、調色点灯や調光点灯が可能となる。
実施形態の別態様に係る照明装置において、前記２種類以上の発光素子には発光色が青色の発光素子が含まれる。これにより、調色の幅を広げることができる。
実施形態の別態様に係る照明装置において、前記電源ユニットは、前記２種類以上の発光素子のうち、１種類以上の発光素子に対してゆらぎ制御する。これにより、癒し効果が得られる。
【００１０】
＜第１実施形態＞
１．概略
照明装置Ａは、被取付具としての引掛シーリングローゼットや引掛ローゼットに取り付けられる、所謂、シーリングライトである。
ここで、照明装置Ａから光が出射される側を表側とし、設置面側を裏側とする。
ここでの照明装置Ａは、図１に示すように、表裏方向から見ると円形状をしている。照明装置Ａの周方向を単に「周方向」ともいい、照明装置Ａの径方向を単に「径方向」ともいう。また、設置面と直交する方向であって照明装置Ａの中心を通る仮想線を単に「中心軸」ともいい、中心軸と平行な方向を中心軸方向ともいう。
【００１１】
照明装置Ａの概略を図２を用いて説明する。
照明装置Ａは、取付部（例えば引掛刃）を介して設置面に着脱可能に設置されるベース１と、ベース１における設置面と反対側（表側）に配された主光源部３と、ベース１における設置面側（裏側）に配された副光源部５とを備える。なお、間接照明機能は副光源部５により達成される。照明装置Ａは、主光源部３及び副光源部５に点灯電力を供給する電源部７を有する。なお、電源部７はベース１の裏面に設けられている。
【００１２】
照明装置Ａは、主光源部３として表側を照射する主照射ユニット３１を、副光源部５として裏側を照射する副照射ユニット５１をそれぞれ有する。
ここでの主光源部３は、主照射ユニット３１を覆う保護カバー３３と、保護カバー３３を含めて主照射ユニット３１を表側から覆うシェード３５を含む。副光源部５は、副照射ユニット５１からの光を反射させる反射体５３と、反射した光を所望方向に出射する光学制御部材５５とを含む。副照射ユニット５１は、副照射ユニット５１を支持する支持体５７を含む。
以下、各構成について説明する。
【００１３】
２．ベース
ベース１について図３又は図４を用いて説明する。
ベース１は円板状をしている。ベース１は、金属板をプレス加工して構成されたり、樹脂材料を射出成形して構成されたりする。ここでは、主照射ユニット３１に導電片からなる配線体３１３（Ａ〜Ｃ）を利用するため、絶縁性確保の観点から、樹脂材料（熱可塑性樹脂材料）により構成されている。具体的には、ポリプロピレン（ＰＰ）により構成されている。
ベース１は円形状の板状部１１を有している。板状部１１の表面に主照射ユニット３１が装着される。
【００１４】
ベース１は板状部１１の中央に開口１２を有している。ベース１は開口１２の周縁（板状部１１の内周縁）から裏側に延伸する裏鍔部１３と、板状部１１の外周縁から裏側に凹入する溝部１４とを有している。
溝部１４の底壁１４３には、図３に示すように、溝部１４の内周壁１４１に嵌合する保護カバー３３の外側裏鍔部３３３を位置決めする位置決部分１４５が形成されている。位置決部分１４５は底壁１４３から表側に突出し、位置決部分１４５と内周壁１４１との間に保護カバー３３の外側裏鍔部３３３が嵌る。
【００１５】
ベース１は裏側に凹入する補強用の凹入部１５，１６を板状部１１に有している。
凹入部１５は周方向に沿った円弧状をし、図４に示すように、凹入部１５が存在しない板状部１１の平坦領域１１ａに電源部７が装着される。
凹入部１６は径方向に延伸する。凹入部１５は、図３に示すように、凹入部１６と交差する部分であってその周壁に補強用のリブ１５１を有している。
ベース１は溝部１４の外周壁１４６の表側端から径方向の外方へと延伸した後に裏側に屈曲するＬ字状部１７（図７参照）を有している。
【００１６】
３．主光源部
主光源部３は、上述のように、主照射ユニット３１、保護カバー３３、シェード３５を備える。主照射ユニット３１及び保護カバー３３はベース１の表面に装着され、シェード３５は保護カバー３３に装着される。
（１）主照射ユニット
主照射ユニット３１は、図３の拡大図に示すように、発光素子の一例であるＬＥＤ素子３１１と、複数個のＬＥＤ素子３１１を実装する配線体３１３（Ａ〜Ｃ）とを備える。
ここでのＬＥＤ素子３１１は調色可能とするため発光色が異なる２種類ある。一例として、一方は昼白色であり、他方は電球色である。
離間する複数個の導電片３１５から配線体３１３（Ａ〜Ｃ）が構成され、離間状態で隣接する導電片３１５にＬＥＤ素子３１１が跨るように実装されている。なお、配線体３１３は、２種類の発光色のＬＥＤ素子３１１を調色可能に点灯させるため２種類の伝導路を有する。なお、導電片３１５として例えば金属板（錫メッキ鋼板等）を利用できる。
【００１７】
配線体３１３は、離間する複数個の導電片３１５を補強する補強部３１７を備える。ここでの補強部３１７は、離間する導電片３１５に跨るように実装されたチップ抵抗により構成されている。チップ抵抗は、その抵抗が無限大であり、導電片３１５間が短絡しても、回路的に問題がない。
ここでの主照射ユニット３１は、図３に示すように、ベース１の棒状部１１１を利用してベース１に固定される。つまり、配線体３１３Ａ〜Ｃを構成する導電片３１５の間、導電片３１５に形成された貫通孔又は欠け部の何れかを挿通した棒状部１１１の挿通先端部を、挿通した部分よりも大きくなるように、溶融されることで行われる。
また、棒状部１１１により位置決めを行い、保護カバー３３の装着により主照射ユニット３１をベース１に固定し、主光源部３を構成することもできる。
【００１８】
（２）保護カバー
図３及び図４を用いて説明する。
保護カバー３３は透光性樹脂、例えば、ポリプロピレン（ＰＰ）により構成されている。保護カバー３３は主照射ユニット３１を覆う状態でベース１にねじ（図示省略）により装着（固定）される。
保護カバー３３は、表側から見ると円環状をし且つ表側に膨出する円環膨出部３３１と、円環膨出部３３１の内周縁から裏側に延伸する内側裏鍔部３３２と、円環膨出部３３１の外周縁から裏側に延伸する外側裏鍔部３３３とを有する。
【００１９】
円環膨出部３３１は、周方向に間隔をおいて裏側に凹入する凹入部分３３１ａを有し、保護カバー３３がベース１に装着された際に主照射ユニット３１を表側から支持する。
保護カバー３３がベース１に取り付けられた際、内側裏鍔部３３２はベース１の裏鍔部１３の内側に嵌合し、外側裏鍔部３３３はベース１の溝部１４の内周壁１４１に嵌合する。
保護カバー３３は、シェード３５を装着するための装着部３３４を有している。ここでは、シェード３５を中心軸回りに回転させた際に、シェード３５の保護カバー装着部３６４（図５参照）が係合する係合部により装着部３３４が構成されている。
【００２０】
（３）シェード
図５を用いて説明する。
シェード３５は、保護カバー３３に装着される裏シェード３６と、裏シェード３６に取り付けられる表シェード３７とを有する。シェード３５は、表シェード３７と裏シェード３６との間にリング状のモール３８を備える。なお、表シェード３７及び裏シェード３６とも透光性の樹脂材料、例えば、ポリプロピレン（ＰＰ）により構成されている。
【００２１】
（３−１）裏シェード
図５を用いて説明する。
裏シェード３６は、環状の板状をするシェード本体３６１と、シェード本体３６１の内周縁側に設けられたシェード筒部３６２と、シェード筒部３６２の裏側端に形成された裏側が開口するシェード溝部３６３と、シェード溝部３６３の内周壁（中心軸に近い周壁）に形成され且つ保護カバー３３に装着するための保護カバー装着部３６４と、シェード筒部３６２の表側端部に形成され且つ表シェード３７を装着するための表シェード装着部３６５と、シェード筒部３６２の表側端部であって表シェード装着部３６５の外周側に形成され且つモール３８を収容するための収容部３６６と、シェード本体３６１の外周縁から裏側に延伸するシェード鍔部３６７とを有する。
【００２２】
シェード本体３６１は、表面が径方向の外方側に移るにしたがってベース１側に近づく傾斜板状をしている。
シェード筒部３６２は、図６に示すように、裏側に移るにしたがって直径が小さくなる円筒状をしている。シェード筒部３６２は、表側端に２段の段差部分を有している。表側の段差部分を表段差部分３６２ａとし、裏側の段差部分を裏段差部分３６２ｂとする。
表段差部分３６２ａ及び裏段差部分３６２ｂを利用して表シェード装着部３６５と収容部３６６とが形成されている。
裏シェード３６は、後述の光学制御部材５５を固定するための固定部３６８を有している。固定部３６８は、光学制御部材５５側の固定部５５３の凸部分５５３ｃが係合（嵌合）するための貫通孔により構成されている。
【００２３】
シェード溝部３６３は裏側が開口し、図７に示すように、ベース１のＬ字状部１７が裏側からシェード溝部３６３に嵌る。なお、Ｌ字状部１７は、周方向に間隔を置いて複数個の補強リブ１７１（図４参照）を裏側に有し、図６では補強リブ１７１が現れている。なお、この嵌合により、裏シェード３６がベース１に対して径方向に位置決めされる。
保護カバー装着部３６４は、周方向に間隔をおいて形成され、図３及び図４に示す保護カバー３３の装着部３３４と係合する。
【００２４】
表シェード装着部３６５は、図６に示すように、表シェード３７の筒部３７３（図５参照）が挿入される嵌合溝部分３６５ａと、表シェード３７の筒部３７３の装着部３７５（図５参照）と係合する係合部分３６５ｂとから構成される。
嵌合溝部分３６５ａは、シェード筒部３６２の裏段差部分３６２ｂの底壁から表側に円筒状に延伸する裏円筒部分３６５ｃと、裏段差部分３６２ｂの周壁３６２ｃとで形成される。
係合部分３６５ｂは、裏段差部分３６２ｂの周壁３６２ｃから径方向の内側に突出する凸部分により構成されている。なお、裏シェード３６の裏円筒部分３６５ｃにおいて、係合部分３６５ｂと対向する部分には欠け部分３６５ｄが形成されている。
【００２５】
収容部３６６は、モール３８が「Ｕ」字状の断面形状をしているため、図７に示すように、径方向に２重の溝部分を有している。外側溝部分は、表段差部分３６２ａの周壁３６２ｄと、表段差部分３６２ａの底壁から表側に円筒状に延伸する外円筒部分３６６ａとで形成される。内側溝部分は、外円筒部分３６６ａと、表段差部分３６２ａの底壁から表側に円筒状に延伸する内円筒部分３６６ｂとで形成される。
【００２６】
（３−２）表シェード
表シェード３７は、図５に示すように、表側から見たときに円形状で且つ全体として表側に膨出するドーム状をするドーム部３７１と、ドーム部３７１の開口側端に設けられた筒部３７３と、筒部３７３に設けられた装着部３７５とを有する。
装着部３７５は、例えば凸状をし、表シェード３７の筒部３７３が裏シェード３６の嵌合溝部分３６５ａに挿入されると、表シェード３７の装着部３７５が裏シェード３６の係合部分３６５ｂに係合する。
【００２７】
（３−３）モール
モール３８は、図５に示すように、リング状をし、横断面が例えば、「Ｕ」字状をしている。モール３８は、裏シェード３６の収容部３６６である２重の外側溝部分と内側溝部分とに挿入される（図７参照）。モール３８は、裏シェード３６と表シェード３７の間に配されることにより、主照射ユニット３１と対向する面を透過して外部に出射される直接出射部（表シェード３７である）と、主照射ユニット３１と対向しない面（例えば、シェード筒部３６２やシェード本体３６１等である）を透過して外部に出射される間接出射部（裏シェード３６である）との境界部分を明確化することによる直接出射部の引き締め効果を有し、意匠的有効性が得られる。
【００２８】
４．副光源部
副光源部５は、図２に示すように、副照射ユニット５１、反射体５３、光学制御部材５５及び支持体５７を備える。
副光源部５は、図１の（ｂ）に示すように、環状（例えば、円環状である）をしている。副照射ユニット５１は図２に示すように円環状をし、副照射ユニット５１は主照射ユニット３１の外周側に配されている。一例である本実施形態では、設置面側から見たときに、副照射ユニット５１の全部は、主照射ユニット３１の外周縁の外側に位置する。
【００２９】
（１）副照射ユニット
副照射ユニット５１は、図２に示すように、円環状をしている。特に、径方向の寸法（幅）が主照射ユニット３１よりも小さい円環状をしている。
副照射ユニット５１は、図７に示すように、配線体５１１と複数個のＬＥＤ素子５１３とを有する。
配線体５１１は絶縁板の設置面側に配線パターンを有する基板により構成されている。絶縁板としては、例えば、ＳＥＭ３、ガラスエポキシ板等がある。
配線体５１１は、副照射ユニット５１を支持体５７に固定するための固定部５１５を有している。ここでの固定部５１５は、支持体５７の固定部５７２であるピン状部が挿通する貫通孔や欠け部分であり、配線体（絶縁板）５１１に形成されている。ここでの固定は、溶融等により貫通孔や欠け部分を挿通したピン状部（５７２）の挿通先端部を貫通孔や欠け部分より大きくすることで行っている。
ＬＥＤ素子５１３は、例えば電球色を発する発光素子であり、電源部７により調光可能に点灯制御される。
【００３０】
（２）支持体
図６又は図７を用いて説明する。
支持体５７は、副照射ユニット５１を表側から支持するユニット支持部５７１を有している。つまり、支持体５７は、副照射ユニット５１の配線体５１１を、重力方向と直交する面により支持するユニット支持部５７１を有している。ユニット支持部５７１は、副照射ユニット５１から出射された光が設置面側に向かうように構成されている。ここでは、ユニット支持部５７１は略設置面と平行な平板環状（ここでは平板円環状である）をしている。つまり、副照射ユニット５１のＬＥＤ素子５１３の主出射方向が設置面と略直交する（主出射方向が重力の作用方向と反対向きとなる）ように、副照射ユニット５１を支持する。
支持体５７は副照射ユニット５１を固定するための固定部５７２をユニット支持部５７１に有している。固定部５７２は、図７に示すように裏側に延伸するピン状部により構成され、図８の（ｂ）に示すようにピン状部が配線体５１１の貫通孔や欠け部分で構成される配線体５１１の固定部５１５を挿通する。
ここでは支持体５７は、熱可塑性樹脂材料により構成され、配線体５１１の固定部５１５を挿通したピン状部の挿通先端側が、挿入後に貫通孔や欠け部分よりも大きくなるように溶融されている。
支持体５７は、図７及び図８の（ｂ）に示すように、副照射ユニット５１を位置決めする位置決部５７３をユニット支持部５７１に有している。位置決部５７３は、図７に示すように、例えば、環状の凸条により構成される。凸条は、図８の（ｂ）に示すように、円環状の配線体５１１の内周縁の内側に形成されている。
【００３１】
支持体５７は、図６に示すように、ベース１に位置決め状態で載置されるための位置決部５７５をユニット支持部５７１と一体で有する。
位置決部５７５は、平板円環状のユニット支持部５７１の外周縁から表側に円筒状に延伸している。位置決部５７５は、図８の（ａ）に示すように、ベース１の溝部１４の外周壁１４６に裏側から外嵌する。この状態では、ユニット支持部５７１はベース１の溝部１４の底壁１４３に当接する（支持される）。
支持体５７は、図６に示すように、支持体５７をベース１に固定するための固定部５７６を位置決部５７５に有している。固定部５７６は、周方向に間隔をおいて複数個形成されている。支持体５７の固定部５７６は、位置決部５７５から径方向の内方へ突出する凸部分により構成される。凸部分は、ベース１の溝部１４の外周壁１４６に形成された固定部１４７（図３及び図４参照）である貫通孔（又は凹み）に係合する。
【００３２】
支持体５７は反射体５３を支持する反射体支持部５７７を有している。反射体支持部５７７は、図７に示すように、ユニット支持部５７１の外周縁から裏側に筒状に延伸する外筒部分５７７ａと、ユニット支持部５７１の内周縁から裏側に筒状に延伸する内筒部分５７７ｂとで構成されている。
外筒部分５７７ａの延伸先端部には段差が設けられ、延伸先端の厚み薄くなっている。図８の（ａ）に示すように、外筒部分５７７ａの延伸先端５７７ｃが反射体５３の外溝部分５３３ａに挿入される。なお、段差部分の底は反射体５３の外溝部分５３３ａの開口内側部分と当接する。内筒部分５７７ｂは反射体５３の内溝部分５３３ｂに挿入される。
なお、外筒部分５７７ａは副照射ユニット５１から出射して反射体５３で反射した光を径方向の外方へと透過させる透過機能を有している。なお、透過機能は、支持体５７を光透過性の樹脂材料で構成することで実施している。
【００３３】
（３）反射体
反射体５３は、図６及び図７に示すように、副照射ユニット５１からの光を反射させる反射部５３１を有している。反射部５３１は副照射ユニット５１と対向する。反射部５３１は、設置面に向けて出射された光を径方向の外方側に反射させる。つまり、反射部５３１は、支持体５７と反射体５３とで形成される空間の外部へと光を反射させる。換言すると、反射部５３１は、副照射ユニット５１からの光を支持体５７の外筒部分５７７ａに向かうように反射させる反射面５３１ａ（図６参照）を有する。
【００３４】
反射部５３１は円環状をしている。より具体的には、反射部５３１は、図８の（ａ）に示すように、横断面において支持体５７のユニット支持部５７１の内周縁側から外周縁側に移るにしたがって設置面に近づく湾曲板を、中心軸回りに回転させてなる回転体状をしている。横断面における湾曲板は、径方向を長軸とし、支持体５７のユニット支持部５７１と外筒部分５７７ａとの交点を原点とする楕円の第１象限に相当するような形状をしている。つまり、横断面における湾曲板は１／４楕円形状に近い形状をしている。
【００３５】
反射体５３は、支持体５７により支持される支持部５３３を有している。つまり、支持部５３３は支持体５７の反射体支持部５７７により支持される。ここでは、支持部５３３は、図６に示すように、支持体５７の外筒部分５７７ａ用の外溝部分５３３ａと、支持体５７の内筒部分５７７ｂ用の内溝部分５３３ｂとで構成される。図８の（ａ）に示すように、外溝部分５３３ａには外筒部分５７７ａが、内溝部分５３３ｂには内筒部分５７７ｂがそれぞれ挿入する。これにより、副照射ユニット５１に虫や粉塵等の侵入を防止することができ、不具合の発生を排除することができる構成となる。
【００３６】
反射体５３は、図６及び図７に示すように、ベース１に対して位置決めする位置決部５３５を有する。位置決部５３５は反射部５３１の内側端から表側に筒状（ここでは円筒状）に突出する筒部分より構成される。位置決部５３５は、図８の（ａ）に示すように、ベース１の溝部１４の内周壁１４１に径方向の内側から当接する。
反射体５３は、他部材に固定するための固定部５３７を有する。ここでは、反射体５３はベース１に固定される。図７に示すように、固定部５３７は周方向に間隔を置いて複数個設けられている。固定部５３７は、反射部５３１の内周から表側に延伸する延伸板部分５３７ａと、延伸板部分５３７ａに形成された凹み又は貫通孔５３７ｂとを有する。貫通孔５３７ｂには、図８の（ａ）及び（ｂ）に示すように、ベース１の溝部１４の内周壁１４１から中心軸に向かって突出する凸部分１４８ａが係合する。
延伸板部分５３７ａと位置決部５３５と間には溝部分５３７ｃ（図７参照）が存在する。これにより、延伸板部分５３７ａの厚み方向の弾性変形を可能とする。なお、溝部分５３７ｃには、図８に示すように、ベース１の溝部１４の内周壁１４１の板状の一対のリブ１４８ｂが嵌合する。これにより、反射体５３がベース１に対して周方向に位置決めされた状態で固定される。
【００３７】
反射体５３は、図８の（ａ）に示すように、副照射ユニット５１を覆う機能を有している。反射体５３は、図９に示すように、副照射ユニット５１と電源部７とを電気的に接続するケーブル（図示省略）を覆うケーブル被覆部５３９を有している。
ケーブル被覆部５３９は、反射部５３１及び支持部５３３の内周側から中心軸に向かって延伸している。ケーブル被覆部５３９は表側（つまり、ベース１の板状部１１側）が開放する箱状をしている。ケーブル被覆部５３９は、図９の（ｂ）に示すように、電源部７の電源ケース７１と対向する側壁５３９ｂにケーブル用の欠け部分５３９ａを有している。
ケーブル被覆部５３９は、反射体５３がベース１に固定されると、ベース１の板状部１１から裏側に立設するケーブル収容壁１１７に外嵌する。なお、外嵌状態で、ケーブル被覆部５３９はねじ（図示省略）により固定される。なお、ねじは、ケーブル被覆部５３９の蓋壁５３９ｃのボス孔５３９ｄを挿通して、ベース１のボスねじ部１１３（図９の（ｂ）参照）に螺合する。
【００３８】
ケーブル収容壁１１７は、図９の（ｂ）に示すように、ケーブル用の欠け部１１７ａを有し且つ電源ケース７１と対向する対向壁部１１７ｂと、対向壁部１１７ｂの端部とベース１の溝部１４の内周壁１４１とを連結する一対の連結壁部１１７ｃ，１１７ｄとを有する。これにより、ケーブルを収容できると共にベース１の板状部１１を補強できる。なお、連結壁部１１７ｃ，１１７ｄの周辺には、図９の（ａ）に示すように、ケーブル被覆部５３９のケーブル収容壁１１７への被覆を案内するリブ部１１５が２個ベース１に設けられている。なお、リブ部１１５は、裏側から見るとケーブル収容壁１１７に向かう「コ」字状をし、一対に対向部分の裏側端部が傾斜している。
【００３９】
（４）光学制御部材
光学制御部材５５は、支持体５７の外筒部分５７７ａを透過してきた光を、設置面側に反射させたり、そのまま透過させたりする本体部５５１を有している。図８に示すように、本体部５５１は、支持体５７の外筒部分５７７ａと対向するように配されている。本体部５５１は円環状をしている。より具体的には、本体部５５１は、図８の（ａ）に示すように、横断面において径方向を外方へと移るにしたがって設置面に近づく湾曲板を、中心軸回りに回転させてなる回転体状をしている。横断面における湾曲板は、設置面側に凸の円弧形状をしている。
【００４０】
光学制御部材５５は、他部材に固定するための固定部５５３を有している。固定部５５３は、図６及び図７に示すように、本体部５５１の内周端から表側に延伸する筒部分５５３ａと、筒部分５５３ａに周方向に間隔をおいて形成された一対の溝部分５５３ｂと、筒部分５５３ａにおける一対の溝部分５５３ｂ間に形成され且つ中心軸に向かって突出する凸部分５５３ｃとにより構成されている。
凸部分５５３ｃは、図６に示す、裏シェード３６のシェード筒部３６２に存在する固定部３６８（貫通孔）に係合する。
【００４１】
光学制御部材５５は、本体部５５１と固定部５５３の筒部分５５３ａとの連結部分に、径方向の内側に張り出す鍔部５５５を有する。鍔部５５５は、図８の（ｂ）に示すように、光学制御部材５５が裏シェード３６に装着した際に、裏シェード３６のシェード溝部３６３を構成する外周壁３６３ｂの裏側端に当接する。
【００４２】
（５）ベースへの固定
副照射ユニット５１は、重力の作用方向と直交するユニット支持部５７１により配線体５１１が表側から支持されている。これにより、副照射ユニット５１を安定した状態（安定した姿勢）で支持できる。また、支持体５７のユニット支持部５７１をベース１における重力の作用方向と直交する面（ここでは、ベース１の溝部１４の底壁１４３の裏面である）に載置しているので、副照射ユニット５１を安定した姿勢で容易に設置することができる。また、これにより、副照射ユニット５１の表裏方向の位置が確定する。
配線体５１１は、ユニット支持部５７１に形成された位置決部５７３と反射体支持部５７７により径方向に位置決めされている。支持体５７と反射体５３はベース１の溝部１４に裏側から嵌合する状態で、支持体５７がベース１に装着される。これにより、支持体５７がベース１に対して径方向に位置決めされ、位置決めされた支持体５７に配線体５１１が径方向に位置決めされることになる。このように、支持体５７と反射体５３とをベース１に装着（嵌合）することで、副照射ユニット５１の径方向の位置が確定する。
反射体５３は、副照射ユニット５１と対向する状態で、副照射ユニット５１を支持する支持体５７に装着される。このため、反射体５３と副照射ユニット５１との位置合わせが容易となる（他部材が介在すると、他部材との位置合わせが必要になるが、反射体５３が支持体５７に直接装着されるため、他部材との位置合わせが不要となる。）。
【００４３】
（６）光学設計
副照射ユニット５１は、ベース１における外周に近い部位に形成され且つ裏側に凹入する溝部１４の底壁１４３の裏面（設置面）側に配されている。このため、副照射ユニット５１から出射され且つ反射体５３により反射した光の進行を妨げる部位がなく、光の進行を妨げる部位を迂回するための光学部材が不要となり、簡単な構造で、副照射ユニット５１から出射された光を取り出すことができる。また、これにより、副照射ユニット５１からの光の取り出し効率を高めることができる。
なお、ベース１の溝部１４の径方向の内側には電源部７が配されるため、溝部１４により照明装置Ａの厚みが大きくなることはない。さらに、溝部１４内に保護カバー３３とシェード３５との装着部を収容するため、主照射ユニット３１からの光が保護カバー３３により遮られるようなことをなくすることができる。
【００４４】
５．電源部
主に図３又は図４を用いて説明する。
電源部７は、電源ケース７１、電源回路（図示省略）、取付部７２（図４参照）、取付操作部７３（図３参照）を備える。
電源ケース７１は、電源ベース７１１と、電源ベース７１１の一部を覆う電源カバー７１３とから構成される。電源ベース７１１と電源カバー７１３とで形成される内部空間に電源回路を収容する。電源ベース７１１は、透明性の難燃性樹脂材料、ここでは、透明の難燃性ポリカーボネート（ＰＣ）により構成されている。透明にするのは、照明装置Ａを被取付面に取付ける場合に、被取付面を目視しながら取付けるためである。電源カバー７１３は、難燃性の樹脂材料、ここでは、難燃性ポリカーボネート（ＰＣ）により構成されている。電源部７を難燃性樹脂で覆うことにより、電源部７の発火に対する安全性を向上させることができる。
電源部７は、有底筒状に裏側へと凹入する有底筒状部７４を電源ベース７１１と一体で有する。有底筒状部７４の底部分の裏側に、図４に示すように、取付部７２を構成する引掛刃７２１が取付けられている。有底筒状部７４の底部分の表側に、図３に示すように、取付操作部７３を構成する凸部分７３１が形成されている。
電源部７は、有底筒状部７４の開口側端がベース１の裏鍔部１３に嵌合する状態で、ベース１の表側から挿通するねじ（図示省略）によりベース１の平坦領域１１ａ（図４参照）に固定される。
【００４５】
電源回路は、主照射ユニット３１及び副照射ユニット５１を点灯させるための回路を含む。電源回路は、交流から直流に変換する変換回路、主照射ユニット３１及び副照射ユニット５１に供給すべき電流に変換する変換回路等の他、図外のリモコン等から送信される点灯情報に基づいて主照射ユニット３１や副照射ユニット５１の点灯を制御する制御回路等がある。
【００４６】
＜第２実施形態＞
第１実施形態では、副照射ユニット５１は、１種類の発光色のＬＥＤ素子５１３を備えているが、２種類以上の発光色のＬＥＤを備えてもよい。
以下、２種類のＬＥＤ有する副発光部１００５を備える照明装置Ｂについて説明する。
副発光部１００５は、第１実施形態と同様に、図１０に示すように、副照射ユニット１０５１、反射体１０５３、光学制御部材５５及び支持体１０５７を備える。
なお、光学制御部材５５は第１実施形態の光学制御部材５５と同じ構成であるため、その説明を省略する。また、副発光部１００５は、第１実施形態と同様に、ベース１及びシェード３５（裏シェード３６）に取り付けられ、その取り付け構造等は第１実施形態と同様であるため、その説明を省略する。
【００４７】
１．副照射ユニット
副照射ユニット１０５１は、図１１に示すように、第１発光色の第１ＬＥＤ素子１５１３ａを第１配線体１５１１ａに搭載してなる第１副照射ユニット１０５１ａと、第２発光色の第２ＬＥＤ素子１５１３ｂを第２配線体１５１１ｂに搭載してなる第２副照射ユニット１０５１ｂとを備える。
ここでは、第１発光色は電球色であり、第２発光色は青色である。この場合、第１ＬＥＤ素子１５１３ａは電球色ＬＥＤであり、第２ＬＥＤ素子１５１３ｂは青色ＬＥＤである。なお、青色ＬＥＤを含むことで多彩な調色が可能となる。
第１副照射ユニット１０５１ａ及び第２副照射ユニット１０５１ｂは環状、ここでは、円環状をしている。第１副照射ユニット１０５１ａは、第２副照射ユニット１０５１ｂの外周側に位置している。つまり、第１副照射ユニット１０５１ａと第２副照射ユニット１０５１ｂは２重同心円状に配されている。
【００４８】
第１実施形態の配線体５１１は、絶縁板に配線パターンがプリントされたプリント基板であったが、第２実施形態の配線体１５１１は、離間する複数個の導電片から構成されている。なお、導電片は金属板（錫メッキ鋼板等）により構成されている。
第１配線体１５１１ａを構成する第１導電片１５１７ａは、例えば、円弧状をし、周方向に間隔をおいて配され、全体として円環状をしている。ここでは、周方向に隣接する２個の第１導電片１５１７ａが第１ＬＥＤ素子１５１３ａにより連結されている。なお、ここでは、第１導電片１５１７ａ同士は第１ＬＥＤ素子１５１３ａのみで連結されているが、第１実施形態の主照射ユニット３１のように補強部３１７（図３参照）により補強されてもよいし、絶縁性樹脂材料により補強されてもよい。
第１配線体１５１１ａは、第１副照射ユニット１０５１ａを支持体１０５７に固定するための第１固定部１５１５ａを有している。第１固定部１５１５ａは、欠け部分又は貫通孔により構成され、当該欠け部分又は貫通孔を支持体１０５７の固定部（ピン状部）１５７２が挿通する。
【００４９】
第２配線体１５１１ｂを構成する第２導電片１５１７ｂは、例えば、円弧状をし、周方向に間隔をおいて配され、全体として円環状をしている。ここでは、周方向に隣接する２個の第２導電片１５１７ｂが第２ＬＥＤ素子１５１３ｂにより連結されている。なお、ここでは、第２導電片１５１７ｂ同士は第２ＬＥＤ素子１５１３ｂのみで連結されているが、第１実施形態の主照射ユニット３１のように補強部３１７（図３参照）により補強されてもよいし、絶縁性樹脂材料により補強されてもよい。
第２配線体１５１１ｂは、第２副照射ユニット１０５１ｂを支持体１０５７に固定するための第２固定部１５１５ｂを有している。第２固定部１５１５ｂは、欠け部分又は貫通孔により構成され、当該欠け部分又は貫通孔を支持体１０５７の固定部（ピン状部）１５７２が挿通する。
【００５０】
２．支持体
主に図１１を用いて説明する。
支持体１０５７は、第１実施形態と同様に、副照射ユニット１０５１を表側から支持するユニット支持部１５７１を有している。支持体１０５７は副照射ユニット１０５１を固定するための固定部１５７２をユニット支持部１５７１に有している。支持体１０５７は、第１実施形態と同様に、副照射ユニット１０５１を位置決めする位置決部１５７３をユニット支持部１５７１に有している。位置決部１５７３は、径方向における第１配線体１５１１ａと第２配線体１５１１ｂとの間に位置し、第１配線体１５１１ａと第２配線体１５１１ｂとが径方向に接触するのを規制する機能も有する。
支持体１０５７は、第１実施形態と同様に、ベース１に位置決め状態で載置されるための位置決部１５７５を有する。
支持体１０５７は、支持体１０５７をベース１に固定するための固定部５７６（図示省略）を位置決部１５７５に周方向に間隔をおいて複数個有している。なお、固定部５７６は第１実施形態の固定部５７６（図６参照）と同じ構成であり、その説明を省略する。
【００５１】
支持体１０５７は反射体１０５３を支持する反射体支持部１５７７を有している。反射体支持部１５７７は、ユニット支持部１５７１の外周縁から裏側に筒状に延伸する外筒部分１５７７ａと、外筒部分１５７７ａの延伸先端部に形成された段差部分１５７７ｂとにより構成され、図１２に示すように、段差部分１５７７ｂに反射体１０５３の外周側端部１５３１ａが支持される。なお、外筒部分１５７７ａは副照射ユニット１０５１からの光を外部へと透過させる透過機能を有している。
支持体１０５７は、図１１に示すように、ユニット支持部１５７１の内周縁から裏側に延伸する内筒部１５７９を有している。内筒部１５７９と反射体支持部１５７７の外筒部分１５７７ａは第１配線体１５１１ａと第２配線体１５１１ｂの径方向の移動を規制する位置決め機能を有する。
【００５２】
３．反射体
図１２を用いて説明する。
反射体１０５３は、第１実施形態と同様に、環状、ここでは円環状をし、副照射ユニット１０５１からの光を反射させる反射部１５３１を有している。反射部１５３１は、横断面において支持体１０５７のユニット支持部１５７１の内周縁側から外周縁側に移るにしたがって設置面に近づく１/４楕円形状をしている。
反射体１０５３は、反射部１５３１における外周側端部１５３１ａが支持体１０５７の段差部分１５７７ｂに当接し、支持される。
反射体１０５３は、第１実施形態と同様に、ベース１に対して位置決めする位置決部５３５と、他部材に固定するための固定部５３７と、ケーブル被覆部５３９（図１０の（ａ）参照）とを有する。なお、位置決部５３５、固定部５３７及びケーブル被覆部５３９は第１実施形態と同様であるため、その説明を省略する。
【００５３】
反射体１０５３は、図１０の（ａ）及び図１２に示すように、配線体１５１１を固定するための固定具１０５９（図１０の（ｂ）及び図１１参照）を収容する収容部１５３８を有する。収容部１５３８は、図１０の（ａ）に示すように周方向に間隔をおいて複数個所（ここでは３か所）に設けられている。つまり、固定具１０５９は周方向に間隔をおいて３個設けられている。
収容部１５３８は、図１２に示すように、断面形状が「Ｌ」字状をしている。「Ｌ」字の長辺側が、断面が１／４楕円形状の反射部１５３１の長軸と平行となるように構成されている。つまり、１／４楕円形状の反射部１５３１が「Ｌ」字状になったような形状をしている。
【００５４】
収容部１５３８は、図１２に示すように、長辺部分の径方向の中央部位から、短辺部分の表裏方向の中央部位までの領域に凹入部分１５３８ａを有している。凹入部分１５３８ａには、固定具１０５９が嵌る。具体的には、短辺部分には固定具１０５９の立設部１５９５の凸部分１５９５ａが、長辺部分には反射部１５９１の外周側端部１５９１ａがそれぞれ嵌る。
なお、長辺部分の内面であって凹入部分１５３８ａの外周側部分は、反射部１５３１の内面と同じ曲面を有している。これにより、副照射ユニット１０５１から収容部１５３８に向けて出射された光は、反射部１５３１に向けて出射された光と同様の方向に反射され、輝度ムラを抑制できる。
【００５５】
４．固定具
主に図１２を用いて説明する。
固定具１０５９は、第１副照射ユニット１０５１ａを裏側（反射体１０５３側）から支持して、第１副照射ユニット１０５１ａを固定する。固定具１０５９は、例えば、反射体１０５３と同じ樹脂材料により構成され、副照射ユニット１０５１からの光を反射する。
固定具１０５９は、反射体１０５３の反射部１５３１の内周側の断面形状と同じ形状を有する反射部１５９１を有している。これにより、副照射ユニット１０５１から固定具１０５９に向かう光も、反射体１０５３に向かう光と同様の方向に反射される。
固定具１０５９は、反射部１５９１の表面であって内周端側に表側へと延伸する延伸部１５９３を有する。延伸部１５９３の表側端は、第１副照射ユニット１０５１ａに当接又は近接する。これにより、第１副照射ユニット１０５１ａが支持体１０５７のユニット支持部１５７１側に固定される。
固定具１０５９は反射部１５９１の内周端から立設する立設部１５９５と、立設部１５９５の立設先端の内周面から径方向の内側に突出する凸部分１５９５ａとを有する。凸部分１５９５ａは、反射体１０５３の収容部１５３８の凹入部分１５３８ａに係合する。
【００５６】
５．電源部
電源部１００７は、副照射ユニット１０５１の点灯を制御する制御回路を有する。制御回路は、第１副照射ユニット１０５１ａと第２副照射ユニット１０５１ｂに個別に点灯電力を供給する。制御回路は、第１副照射ユニット１０５１ａに供給する点灯電力を調整可能に回路構成されている。制御回路は、第２副照射ユニット１０５１ｂに供給する点灯電力を調整可能に回路構成されている。なお、点灯電力の調整は、ＰＷＭ制御等により行われる。これにより、副照射ユニット１０５１の調光点灯・調色点灯が可能となる。
制御回路は、周波数ｆに反比例するスペクトルを有するゆらぎにしたがって副照射ユニット１０５１の光量（調光）や光色（調色）を時間経過に伴って変化させる１／ｆゆらぎ制御するように構成されている。なお、ゆらぎ制御は、使用者が操作するリモコン信号により行うことができる。
【００５７】
以上、第１及び第２実施形態を説明したが、これらの実施形態に限られるものではなく、例えば、以下のような変形例であってもよい。また第１及び第２実施形態と変形例、変形例同士を組み合わせたものであってもよい。
また、第１及び第２実施形態や変形例に記載していていない例や、要旨を逸脱しない範囲の設計変更があっても本発明に含まれる。
【００５８】
＜変形例＞
１．ベース
ベース１は、円環状をしていたが、方形、多角形の環状をしていてもよい。ベースは、例えば、主照射ユニット３１からの光を表側に反射させる反射機能を有してもよい。ベース１は樹脂により構成されているが、例えば、金属板により構成してもよい。この際、主照射ユニット３１の配線体３１３としてプリント基板を利用してもよいし、第１実施形態のように導電片３１５を用いる場合、絶縁シート等の絶縁処理を施すことで実施できる。
【００５９】
２．主光源部
主光源部３は、主照射ユニット３１、保護カバー３３、シェード３５を備えているが、これらの構成は実施形態の構成に限定するものではない。
主光源部は、表側から見たときに、円形状であってもよいし、楕円形状、長円状であってもよいし、方形状、矩形状、正三角形状の正多角形状であってもよい。
（１）主照射ユニット
光源としてＬＥＤ素子５１３，１５１３ａ，１５１３ｂを利用したが、レーザ素子、ＥＬ素子等であってもよいし、ＬＥＤは、ＣＯＢタイプであってもよいし、ＳＭＤタイプであってもよい。
配線体は、導電片タイプであってもよいし、プリント基板タイプであってもよい。
主照射ユニット３１は、複数個の導電片３１５から構成された配線体３１３を備えているが、例えば、表面に配線パターンを有するプリント基板を利用してもよい。
（２）保護カバー
保護カバー３３は、円環膨出部３３１に凹入部分３３１ａを有していたが、円環膨出部に凹入部分を有しなくてもよい。保護カバーは、表側からみたときに、例えば、半円環状の膨出部を２個備えるようにしてもよいし、円弧状の膨出部を複数個備えてもよい。
（３）シェード
シェード３５は、裏シェード３６と表シェード３７との２部材で構成されているが、一体化した１部材で構成してもよいし、３個以上の部材で構成してもよい。シェード３５は保護カバー３３に着脱可能に装着されているが、ベースに着脱可能に装着してもよい。シェード３５は裏シェード３６と表シェード３７との間にモール３８を有する構造にしているが、モールを有しない構造としてもよい。
【００６０】
３．副光源部
（１）副照射ユニット
第１実施形態の副照射ユニット５１は１重の円環状をし、第２実施形態の副照射ユニット１０５１は２重の円環をしている。しかしながら、副照射ユニットは環状であればよく、四角環状等の多角環状をしていてもよい。多重環状の場合、複数の環状のすべてが同じ形状であってもよいし、例えば、内側が円環状で外側が四角環状等の異なる形状であってもよい。また、周方向に連続した環状であってもよいし、複数個の副照射ユニットを周方向に配置して全体として１つの環状を構成するようにしてもよい。
【００６１】
第２副照射ユニット１０５１ｂは青色ＬＥＤ素子１５１３ｂのみを備えているが、例えば、第２照射ユニットは、青色ＬＥＤ素子と、青色ではない発光色のＬＥＤ素子とを備えてもよい。また、第２実施形態の副照射ユニット１０５１は発光色の異なる２種類の第１副照射ユニット１０５１ａと第２副照射ユニット１０５１ｂとを備えているが、発光色の異なる３種類以上の副照射ユニットを備えてもよい。
副照射ユニット５１，１０５１ａ，１０５１ｂは、複数個のＬＥＤ素子５１３，１５１３ａ，１５１３ｂを一列状で配線体に備えていたが、複数列状、千鳥状等の他の形状で備えてもよい。
【００６２】
副照射ユニット５１，１０５１ａ，１０５１ｂは、裏側から投影して見たとき、主照射ユニット３１の径方向の外側に位置しているが、例えば、副照射ユニットの一部又は全部が主照射ユニットと重なるように配置してもよい。なお、点灯中にＬＥＤ素子から発生する熱を考慮すると、副照射ユニットと主照射ユニットとは表裏方向に重ならない方が好ましい。なお、実施形態のように、副照射ユニット５１がベース１の溝部１４の底壁１４３に設けられる場合、副照射ユニットと主照射ユニットとが投影視で重なったとしても、溝部の深さ分だけ表裏方向に離間することとなり、熱の影響を抑制できる。
副照射ユニット５１，１０５１はベース１の外周端に近い部位に設けられているが、径方向の中心と外周端との間の中間部位に設けられてもよい。中間部位に設ける場合、例えば電源部を環状に設けることで実施できる。なお、副照射ユニットの光の取り出し効率や、設置面における照明装置の外周縁の裏側周辺を照射したときの意匠性等を考慮すると、ベースの外周端に近い部位に副照射ユニットを設ける方が好ましい。具体的には、副照射ユニットはベースの半径に対して１／２以上、より好ましくは、１／３よりも外周側に位置していることが好ましい。なお、副光源ユニットは照明装置に対しては、照明装置の半径に対して１／３よりも外周側に位置するのが好ましい。
【００６３】
（２）反射体
反射体５３，１０５３の反射部５３１，１５３１は、断面において、１／４楕円形状をしているが、副照射ユニットから出射された光を副照射ユニットに対して径方向の外方、より具体的には、光学制御部材５５に向けて反射できれば、１／４楕円形状以外の形状であってもよい。
反射体５３，１０５３は、ベース１の溝部１４の内周壁１４１に固定されているが、例えば、副照射ユニット５１，１０５１を支持している支持体５７，１０５７に固定するようにしてもよい。この場合、支持体、副照射ユニット及び反射体を一体化したユニットとし、ベースに装着するようにしてもよい。
反射体５３は、第２実施形態で説明したように、２重の副照射ユニット１０５１ａ，１０５１ｂでも使用できるように、固定具１０５９用の収容部（１５３８）や、第１副照射ユニット１０５１ａを押圧する延伸部（１５９３）等を有しているが、第１実施形態のように１重の副照射ユニット５１を利用し、支持体５７のユニット支持部５７１の外周側に配される場合は、収容部（１５３８）や延伸部（１５９３）を有しなくてもよい。
【００６４】
（３）光学制御部材
光学制御部材５５は、シェード３５に装着されているが、例えば、ベースに装着するようにしてもよい。光学制御部材５５は、表面及び裏面の凹凸により、反射体からの光を透過したり、反射したりするように構成されている。凹凸の大きさや形状を調整することで、使用目的にあった間接照明を得ることができる。
【００６５】
（４）支持体
支持体５７，１０５７は、副照射ユニット５１，１０５１の配線体５１１，１５１１を設置面と平行な状態で支持している。つまり、支持体５７，１０５７は、配線体５１１，１５１１の主面が重力の作用する方向と直交する状態で、支持している。しかしながら、副照射ユニットのベースに対する位置が、ベースへの載置だけで変化しない（副照射ユニットの姿勢を維持するための他部材が必要でない）範囲内で、配線体を傾斜する状態で支持してもよい。
支持体５７，１０５７は、副照射ユニット５１，１０５１を支持するユニット支持部５７１，１５７１を有しているが、例えば、ベース１の溝部１４の底壁１４３を副照射ユニット５１，１０５１の支持部としてもよい。この場合、固定部５７２の一例であるピン状部をベースの溝部の底壁から裏側に延伸するように設けることで、配線体５１１，１５１１を実施形態と同様に、固定できる。
【００６６】
４．電源部
実施形態の電源部７は、電源ケース７１と取付部７２とを組み合わせて一体として有しているが、別体としてもよい。この場合、電源ケース（電源回路）をベースの表側に配してもよいし、裏側に配してもよいし、裏側と表側との両側に配してもよい。
取付部７２はベース１に一体に組み込まれているが、取付部をベースに対して着脱自在なアダプタタイプとしてもよい。
電源部は、点灯回路の他、調光回路、調色回路等の回路を備えてもよいし、タイマ機能や、リモコン信号を受信するように構成してもよい。
制御回路は、第１副照射ユニット１０５１ａ及び第２副照射ユニット１０５１ｂに対してゆらぎ制御をしているが、複数の副照射ユニットを備える場合、１以上の副照射ユニットに対してゆらぎ制御をしてもよい。つまり、２種類以上のＬＥＤ素子を備える場合、１種類以上のＬＥＤ素子に対してゆらぎ制御を行うようにしてもよい。
【符号の説明】
【００６７】
Ａ    照明装置
１    ベース
３    主光源部
５    副光源部
７    電源部
３１    主出射ユニット
５１    副出射ユニット
５３    反射体
５５    光学制御部材
７２    取付部
５１１    配線体
５１３    ＬＥＤ素子
【図１】
2020024859.tif 000003
【図２】
2020024859.tif 000004
【図３】
2020024859.tif 000005
【図４】
2020024859.tif 000006
【図５】
2020024859.tif 000007
【図６】
2020024859.tif 000008
【図７】
2020024859.tif 000009
【図８】
2020024859.tif 000010
【図９】
2020024859.tif 000011
【図１０】
2020024859.tif 000012
【図１１】
2020024859.tif 000013
【図１２】
2020024859.tif 000014